【手続補正書】
【提出日】平成27年6月27日(2015.6.27)
【手続補正１】
【補正対象書類名】特許請求の範囲
【補正対象項目名】全文
【補正方法】変更
【補正の内容】
【特許請求の範囲】
【請求項１】
方法であって、
通信ネットワーク内に設けられる端末デバイスを用いて、
前記通信ネットワーク内のスイッチデバイスによって送信されるビーコンを受け取ることと、
前記端末デバイスが前記スイッチデバイスとの前の接続を持ったことに応答して、前記前の接続の接続時間を判定することと、
前記接続時間が第１の閾値より小さいことに応答して前記スイッチデバイスをブラックリストに加えること、又は前記接続時間が第２の閾値より大きいことに応答してその後の通信のために前記スイッチデバイスを選択することと、
前記接続時間が前記第１の閾値と前記第２の閾値との間であることに応答して前記ビーコンの信号品質インジケータを判定することと、
前記信号品質インジケータが信号品質閾値より大きいことに応答して前記ビーコンに対応するエントリを優先リストの第１の部分に記憶すること、又は前記信号品質インジケータが前記信号品質閾値より小さいことに応答して前記ビーコンに対応するエントリを前記優先リストの第２の部分に記憶することと、
を実行すること、
を含む、方法。
【請求項２】
請求項１に記載の方法であって、
前記通信ネットワークが電力線通信（ＰＬＣ）ネットワークである、方法。
【請求項３】
請求項１に記載の方法であって、
前記端末デバイスを用いて、前記前の接続がチャネル条件に起因して終端したことを判定することを実行することを更に含む、方法。
【請求項４】
請求項３に記載の方法であって、
前記チャネル条件がビーコン損失イベント又はタイムアウトイベントを含む、方法。
【請求項５】
請求項１に記載の方法であって、
前記信号品質インジケータが信号対雑音比（ＳＮＲ）である、方法。
【請求項６】
請求項１に記載の方法であって、
前記優先リストの前記第１の部分が、前記通信ネットワーク内の他のスイッチデバイスによって送信される他の複数のビーコンに対応するエントリを含み、前記複数のエントリがそれらのそれぞれのビーコンの信号レベルに従って順序付けられる、方法。
【請求項７】
請求項１に記載の方法であって、
前記優先リストの前記第１の部分が、前記通信ネットワーク内の他のスイッチデバイスによって送信される他のビーコンに対応する複数のエントリを含み、前記複数のエントリが、前記端末デバイスとそれぞれのエントリに対応する各スイッチデバイスとの間の前記ビーコンの受け取った信号強度に従って順序付けられる、方法。
【請求項８】
請求項１に記載の方法であって、
前記優先リストの前記第２の部分が、前記通信ネットワーク内の他のスイッチデバイスによって送信される他のビーコンに対応する複数のエントリを含み、前記複数のエントリがそれらのそれぞれのビーコンの信号品質インジケータによって順序付けられる、方法。
【請求項９】
請求項１に記載の方法であって、
前記端末デバイスを用いて、
前記優先リストの前記第１の部分の複数の順序付けられたエントリに基づいて、その後の通信のために複数のスイッチデバイスの１つを選択すること、又は
前記優先リストの前記第１の部分にエントリが記憶されていないことに応答して、前記優先リストの前記第２の部分の複数の順序付けられたエントリに基づいて、その後の通信のために複数のスイッチデバイスの１つを選択すること、
を実行することを更に含む、方法。
【請求項１０】
方法であって、
通信ネットワーク内に設けられる端末デバイスを用いて、
前記通信ネットワーク内のスイッチデバイスによって送信されるビーコンを受け取ることと、
前記端末デバイスが前記スイッチデバイスとの前の接続を持ったことに応答して、前記前の接続の接続時間を判定することと、
前記接続時間が第１の閾値より小さいことに応答して前記スイッチデバイスをブラックリストに加えること、又は前記接続時間が第２の閾値より大きいことに応答してその後の通信のために前記スイッチデバイスを選択することと、
前記接続時間が前記第１の閾値と前記第２の閾値との間であることに応答して、前記ビーコンの信号品質インジケータを判定することと、
前記信号品質インジケータが前記信号品質閾値より小さいことに応答して前記ビーコンに対応するエントリを優先リストの最後の部分内の第１の複数のエントリ内に記憶すること、又は前記ビーコンのためのビーコン品質インデックスを判定し、前記ビーコン品質インデックスがｎ番目の所定の値より大きいかそれに等しいことに応答して前記ビーコンに対応するエントリを前記優先リストのｎ番目の部分内のｎ番目の複数のエントリ内に記憶することと、
を実行することを更に含み、
前記優先リストの前記最後の部分内の前記最後の複数のエントリの各々がそれらのそれぞれの信号品質インジケータによって順序付けられ、
前記優先リストの前記ｎ部分の各々が、それらのそれぞれの信号レベルによって順序付けられる前記ｎ番目の複数のエントリからのそれらのそれぞれのエントリを有し、ｎが１より大きい整数である、方法。
【請求項１１】
請求項１０に記載の方法であって、
前記ビーコン品質インデックスを判定することが、前記端末デバイスと前記スイッチデバイスとの間のエンドツーエンドの成功確率を判定することと、計算されたエンドツーエンドの成功確率を、複数の可能なビーコン品質インデックスの１つにマッピングすることとを含む、方法。
【請求項１２】
請求項１０に記載の方法であって、
前記端末デバイスを用いて、前記優先リストの前記部分の１つ又は複数を連続的に検査することによって、その後の通信のために複数のスイッチデバイスの１つを選択することを実行することを更に含む、方法。
【請求項１３】
システムであって、
プロセッサと、前記プロセッサに結合されたメモリとを有する通信デバイスを含み、前記メモリが前記プロセッサにより実行可能なプログラム命令を記憶するように構成され、前記プログラム命令が、前記通信デバイスに、
通信ネットワーク内のスイッチノードに関連するビーコンを識別させ、
前記通信デバイスが前記スイッチノードとの前の接続を持ったことに応答して、前記前の接続の接続時間を判定させ、
前記接続時間が第１の閾値と第２の閾値との間であることに応答して、前記ビーコンの信号品質インジケータを判定させ、
前記信号品質インジケータが信号品質閾値より大きいことに応答して、前記ビーコンに対応するエントリを優先リストの第１の部分に記憶させ、
前記信号品質インジケータが前記信号品質閾値より小さいことに応答して、前記ビーコンに対応するエントリを前記優先リストの第２の部分に記憶させる、システム。
【請求項１４】
請求項１３に記載のシステムであって、
前記信号品質インジケータが信号対雑音比（ＳＮＲ）である、システム。
【請求項１５】
請求項１４に記載のシステムであって、
前記優先リストの前記第１の部分が、他のスイッチノードによって送信される他のビーコンに対応する第１の複数のエントリを含み、前記第１の複数のエントリがそれらのそれぞれのビーコンの信号レベルに従って順序付けられ、
前記優先リストの前記第２の部分が、他のスイッチノードによって送信される他のビーコンに対応する第２の複数のエントリを含み、前記第２の複数のエントリがそれらのそれぞれのビーコンの信号品質インジケータに従って順序付けられる、システム。
【請求項１６】
請求項１５に記載のシステムであって、
前記プログラム命令が、前記通信デバイスに、前記優先リストの前記第１の部分内に前記第１の複数のエントリが存在する場合にそれに基づき、その後、前記優先リストの前記第１の部分内にエントリが記憶されていないときに前記優先リストの前記第２の部分内の前記第２の複数のエントリに基づき、その後の通信のために複数のスイッチノードの１つを選択させるように、前記プロセッサによって更に実行可能である、システム。
【請求項１７】
そこに記憶されるプログラム命令を有する非一時的電子記憶媒体であって、前記プログラム命令が通信デバイス内でプロセッサによって実行されると、前記プログラム命令が前記通信デバイスに、
通信ネットワークのスイッチノードに関連するビーコンを識別させ、
前記通信デバイスが前記スイッチノードとの前の接続を持ったことに応答して、前記前の接続の接続時間を判定させ、
前記接続時間が第１の閾値と第２の閾値との間であることに応答して、前記ビーコンの信号品質インジケータを判定させ、
前記信号品質インジケータが信号品質閾値より小さいことに応答して、前記ビーコンに対応するエントリを優先リストの最後の部分内の複数のエントリ内に記憶させ、前記優先リストの前記最後の部分内の前記複数のエントリの各々がそれらのそれぞれの信号品質インジケータによって順序付けられ、
前記ビーコンのためビーコン品質インデックスを判定させ、前記ビーコン品質インデックスがｎ番目の所定の値より大きい又はそれに等しいことに応答して前記ビーコンに対応するエントリを前記優先リストのｎ番目の部分に記憶させ、前記優先リストの前記ｎ部分の各々がそれらのそれぞれの信号レベルによって順序付けられるそれらの複数のエントリを有し、ｎが１より大きい整数である、
電子記憶媒体。
【請求項１８】
請求項１７に記載の電子記憶媒体であって、
前記ビーコン品質インデックスを判定するために、前記プログラム命令が前記プロセッサによって実行されると、更に、前記通信デバイスに、前記通信デバイスと前記スイッチデバイスとの間の通信におけるエンドツーエンドの成功確率を判定させ、計算されたエンドツーエンドの成功確率を、複数の可能なビーコン品質インデックスの１つにマッピングさせる、電子記憶媒体。
【請求項１９】
請求項１８に記載の電子記憶媒体であって、
前記プロセッサによって前記プログラム命令が実行されると、更に、前記通信デバイスに、前記優先リストの前記ｎ＋１部分の１つ又は複数を順番に連続して検査することによって、その後の通信のために複数のスイッチデバイスの１つを選択させる、電子記憶媒体。